(57)【要約】      （修正有）【課題】チェーンにかみ合うよう設けた磁石の内側に沿って２種類の磁石を配し一方は接触し一方は反発するよう配し、反発力でチェーンの回転を有利にさせる。【解決手段】チェーンに噛み合った磁石はその内側に沿って交互に設けた。２種類の磁石の一方は同極で反発し、他方は回転自在に設けた円筒型磁石で、自転車の走行に伴い回転する。チェーンと噛み合った磁石は同極で向かい合って配置した磁石に反発し、回転自在に設けた円筒型磁石の面上に接触し、回転する円筒型磁石に伴い次に設置した同極の磁石へ、この接触と反発を繰り返す事でチェーンの回転が有利になり踏力の負担を軽減する。【選択図】図１
0003120539.tif 000002
【実用新案登録請求の範囲】
【請求項１】
形状の異なる２種類の磁石を交互に配し、内側又は外側に沿って一定間隔で配置した磁石は前記２種類の一方に接触し他方には反発するよう配置した回転補助装置である。
【請求項２】
請求項１の回転補助装置を自転車に取り付けたものである。
【考案の詳細な説明】
【技術の分野】
【０００１】本考案は、磁気の反発力を利用した回転補助装置を自転車に取り付けたものである。
【背景技術】
【０００２】従来自転車は自分の踏力でペダルを動かし走行しているが踏力の弱い人や走行中の地形の変化や気象状況等で苦労する事がある。【０００３】現在電動アシスト自転車が市販されているが高値で重量もあり、走行するには充電をしなくてはならず不便を感じる。【０００４】
【特許文献１】特に類似する考案はない。
【考案の開示】
【考案が解決しようとする課題】
【０００５】上述の如く、自転車は自分の踏力だけで走行しなくては成らないため踏力の弱い人、又坂道を登る時向かい風の時、荷台に重い荷物を乗せた時など苦労する。【０００６】現在市販されている電動アシスト自転車はあるが高値で重量も２０キロ以上あり走行するには充電をしなくては成らず長時間走行する時など充電量を気にしなければ成らない、また駐輪の際に手で持ち上げたり倒れた時に起こしたりするのにかなりの負担が必要である。【０００７】本考案は、このような点に鑑みて成されたものであり、その目的はチエーンに噛み合せ設けた磁石の内側に沿って形状の異なる２種類の磁石を設置し、自転車の走行に伴い回転するチエーンに沿って設けた前記磁石に一方は接触し他方には同極で反発するよう設置した磁石の反発力でチエーンの回転を補助する装置を、今使用している自転車に安値で取り付けられ重量も３キロ位である。
【課題を解決するための手段】
【０００８】上述の目的を達成する本考案は、チエーンに沿って繋ぎ合わせた磁石に非磁性体で強度に耐える凸部を設けチエーンに噛み合わせる、自転車の走行に伴い回転するチエーンと共に前記繋ぎ合わせた磁石も移行する、前記繋ぎ合わせ設けた磁石の内側に沿って形状の異なる２種類の磁石を交互に設置した一方は円筒２極で回転が自在に配し、他方は前記繋ぎ合わせた磁石と反発するよう両面２極の磁石を同極で向かい合わせ配す。【０００９】チエーンと噛み合った磁石は自転車の走行に伴いチエーンと共に移行し、その内側に沿って交互に設置した２種類の磁石の一方の磁石は同極で向かい合せ設置するため反発し、次に設置した円筒２極の磁石の面上に接触すると回転自在に設置した円筒２極は回転しその回転に伴い次に設置した同極の磁石へと移行する、繋ぎ合って設けた磁石が自転車の走行に伴いこの接触と反発を繰り返し行う事でチエーンの回転を有利にする。
【考案の効果】
【００１０】以上説明したように本考案によれば自転車の走行に伴い回転するチエーンに噛み合わせ設けた両面２極の磁石は、その内側に沿って交互に設置した２種類の磁石の一方の回転自在の円筒２極の面上に接触し円筒２極はその接触に伴いチエーンの進行方向に回転する、チエーンに噛み合った磁石は次に設置した両面２極の同極の磁石へ移行するが向かい合った極が同極のため反発して次に設置した円筒２極へ、自転車の走行に伴いチエーンの回転と共にチエーンに噛み合った両面２極の磁石がこの接触と反発を繰り返すことで自転車の走行時の踏力の負担を軽減する。
【考案を実施するための最良の形態】
【００１１】以下、本考案の実施の形態を図面に基づき説明する。【００１２】図１は本考案の実施の形態を表わす斜視図、
図２−図９は本考案の各部分、及びその一部を示す、【００１３】図２に示すように両面２極（１）の磁石は長方形で貫通穴（２）を有しＳ極が上部（３）にＮ局を下部（４）とし下部（４）のＮ極の底面を残し、他の面には合成ゴム（５）を設けその表面には非磁性体のアルミ材（６）を設置し磁極が他の金属へ伝わるのを防ぐ、【００１４】  図３図４に示すようにステンレス材を用いた繋ぎ具（９）で（１）に有した貫通穴（２）に（９）を設置し繋ぎ合わせチエーン（８）に沿って磁石（１）を配し（３）の上部にはチエーン（８）に噛み合うよう凸部（７）を設けチエーン（８）に噛み合わせる。【００１５】図５図６で示すようにチエーン（８）に噛み合せた凸部（７）の磁石（１）の内側に沿って交互に設置した形状の異なる２種類の磁石の一方の円筒２極（１０）は磁石（１）のＮ極（４）が面上で接触するよう設置し、貫通穴（１１）を有し貫通穴（１１）にはステンレス棒を（１２）用い回転が自在に成るよう止め具（１７）（１８）に設ける、他方は長方形の両面２極（１３）で（１）同様に合成ゴム（１９）を内側に配しアルミ材（２０）をＮ極（１５）の上面以外に設け磁極が他の金属に伝わるのを防ぐ、磁石（１）のＮ極（４）は（１３）のＮ極（１５）と向かい合うよう設置しビス穴（１４）を（１７）（１８）に固定することで同極同士互いに反発するが（１５）のＮ極は（１３）の両面２極は止め具（１７）（１８）に固定されるため（１５）も固定される。【００１６】自転車の走行に伴い回転するチエーン（８）に噛み合わせた凸部（７）を設けた磁石（１）はチエーン（８）と共に移行し、その内側に沿って交互に設置した２種類の磁石の一方の円筒２極（１０）の面上に接触し（１０）はその接触に伴い（１）の進行方向に回転する（１０）の回転に伴い面上で接触する（１）はその回転と共に次に設置された（１３）へと移行するが（１３）は（１６）（１７）に固定され（１３）のＮ極（１５）と向かい合う（１）のＮ極（４）の上部に設けた凸部（７）がチエーン（８）に噛み合っているのでチエーン（８）の進行方向に沿って反発する、
上記の動作をチエーン（８）の回転に伴い（８）に噛み合った両面２極（１）の磁石が（１０）に接触し（１３）には反発し、この動作を繰り返し行う事で自転車の走行時の踏力の負担を軽減する事が出来る。【００１７】以上、本考案の実施の形態及び実施例を説明したが、本考案の範囲はこれに限定されるものではなく例えば磁石を設ける形状や大きさを変えその形状に適した形状体に２種類の磁石を配置する事でより多くの回転体の補助具としても利用出来る。
【図面の簡単な説明】
【００１８】
【図１】本考案の実施の形態に係る回転補助装置の正面図である。
【図２】チエーンに噛み合う両面２極の斜視図である。
【図３】図２の機構を表わす一部の斜視図である。
【図４】図２図３の機構を示す正面図である。
【図５】円筒２極と両面２極を施置した一部斜視図である。
【図６】図５の機構を示す一部正面図である。
【図７】図５図６の機構を示す正面図である。
【図８】本考案の斜視図である。
【図９】本考案の正面図である。
【符号の説明】
【００１９】  １−両面２極                          １５−（１３）のＮ極
２−貫通穴                            １６−（１３）のＳ極
３−（１）のＳ極                      １７−止め具
４−（１）のＮ極                      １８−止め具
５−合成ゴム                          １９−（１３）の合成ゴム
６−アルミ材                          ２０−（１３）のアルミ材
７−凸部                              ２１−チエーンスブロケット
８−チエーンス                        ２２−後輪の
９−つなぎ具                                  チエーンスブロケット
１０−円筒２極                          ２３−ペダル
１１−（１０）の貫通穴                  ２４−チエーンカバー
１２−ステンレス棒                      ２５−チエーンカバーへの
１３−両面２極                            止め穴
１４−ビス穴                            ２６−チエーンカバーへの
止め穴
【図１】
0003120539.tif 000003
【図２】
0003120539.tif 000004
【図３】
0003120539.tif 000005
【図４】
0003120539.tif 000006
【図５】
0003120539.tif 000007
【図６】
0003120539.tif 000008
【図７】
0003120539.tif 000009
【図８】
0003120539.tif 000010
【図９】
0003120539.tif 000011
【手続補正書】
【提出日】平成17年12月26日(2005.12.26)
【手続補正１】
【補正対象書類名】実用新案登録請求の範囲
【補正対象項目名】全文
【補正方法】変更
【補正の内容】
【実用新案登録請求の範囲】
【請求項１】
自転車のチェーン８の内側に沿って永久磁石１を設け、その永久磁石は繋ぎ具９で連結されて輪状に繋ぎ、前記永久磁石１の外側には凸部７を設け前記チェーン８に噛み合わせる、形状の異なる磁石１０と１３を前記１の内側に沿って交互に設け、前記１０の磁石は前記永久磁石１に接触し前記１３の磁石は前記永久磁石１に反発するよう設置した事を特徴とする回転補助具。